(57)【要約】  本発明は二つの通過センサ１０１，１０２とＩＤ受信機１０３とで構成される識別センサ１００に関する。ＩＤ受信機は個人送信機１１１から無線送信された無線周波数信号を受信するように構成される。無線周波数信号は例えばデータベース１１２から追加ＩＤ情報を読み出すことによって個人送信機１１１を持つ人を識別するために使用され得るＩＤ情報を含むＩＤ信号である。二つの通過センサ１０１，１０２によって生成される通過信号はセンサに対するユーザの運動方向を決定するために比較される。ＩＤ情報と運動方向についての情報を含む出力信号が生成される。出力信号は例えば、入室する医師にとって作業環境を満足させるように、及び医師が退室するときに患者にとって適切な雰囲気を作り出すように光を調節するように、病室内のアンビエントライトを制御するために使用され得る。
2015522857.tif 000002
【特許請求の範囲】
【請求項１】
人のゲート認証のための識別センサであって、
前記ゲートと関連する第１の場所における前記人の通過に応じて第１の通過信号を生成するための第１の通過検出器と、
前記ゲートと関連する第２の場所における前記人の通過に応じて第２の通過信号を生成するための第２の通過検出器とを有し、
前記識別センサが前記第１及び第２の通過信号の生成の順序を検出するように構成され、前記識別センサがさらに前記第１及び第２の通過信号の生成の順序に関する情報を含む出力信号を生成するように構成される、識別センサ。
【請求項２】
関連するウェアラブルＩＤ送信機から無線送信されたＩＤ信号を受信するためのＩＤ受信機をさらに有し、前記ＩＤ信号が前記ウェアラブルＩＤ送信機を装着する人の身元に関する情報を含む、請求項１に記載の識別センサ。
【請求項３】
前記識別センサがさらに、前記ＩＤ受信機によって受信される前記ＩＤ信号に関する情報を含む出力信号を生成するように構成される、請求項２に記載の識別センサ。
【請求項４】
前記識別センサが前記無線送信されたＩＤ信号の信号強度を決定するように構成される、請求項２に記載の識別センサ。
【請求項５】
前記識別センサが前記第１若しくは第２の通過信号に依存して前記信号強度を決定するように構成される、請求項４に記載の識別センサ。
【請求項６】
前記識別センサが前記第１若しくは第２の通過信号に依存してＩＤ信号を受信するように前記ＩＤ受信機を駆動するように構成される、請求項２に記載の識別センサ。
【請求項７】
前記関連するウェアラブルＩＤ送信機へ光信号を送信するように構成される光送信機をさらに有し、前記ＩＤ送信機が前記光信号を受信するための光受信機で構成され、前記ＩＤ送信機がさらに前記光信号の受信に依存して前記ＩＤ信号を送信するように構成される、請求項１に記載の識別センサ。
【請求項８】
前記光送信機がさらにＩＤ情報を有する光信号を送信するように構成され、前記ＩＤ送信機がさらに前記受信したＩＤ情報と前記ＩＤ送信機に保存されたＩＤ情報とを含むＩＤ信号を送信するように構成される、請求項７に記載の識別センサ。
【請求項９】
前記識別センサが前記第１若しくは第２の通過信号に依存して前記ウェアラブルＩＤ送信機へ前記光信号を送信するように前記光送信機を駆動するように構成される、請求項７に記載の識別センサ。
【請求項１０】
前記識別センサが前記ＩＤ信号に関するデータをデータベースへ送信し、前記データベースへ送信される前記データに応じて前記データベースからＩＤデータを受信するように構成され、前記識別センサが前記データベースから受信される前記ＩＤデータに関する情報を含むように前記出力信号を生成するように構成される、請求項２に記載の識別センサ。
【請求項１１】
ルームコントローラであって、
部屋の雰囲気を制御するための雰囲気コントローラと、
請求項１に記載の識別センサとを有し、前記識別センサがさらに前記無線送信されたＩＤデータの受信に応じて前記雰囲気コントローラのための出力信号を生成するように構成される、ルームコントローラ。
【請求項１２】
人を識別し、ゲートにおける前記人の運動方向を検出するための方法であって、
前記ゲートの第１の場所における前記人の通過に応じて第１の通過信号を第１の通過検出器を用いて生成するステップと、
前記ゲートの第２の場所における前記人の通過に応じて第２の通過信号を第２の通過検出器を用いて生成するステップと、
前記第１及び第２の通過信号の生成の順序を検出するステップと、
前記第１及び第２の通過信号の生成の順序に関する情報を含む出力信号を生成するステップとを有する、方法。
【発明の詳細な説明】
【技術分野】
【０００１】
本発明はゲートセンサに、特にゲートを通過する人の身元確認検出用ゲートセンサに関する。
【背景技術】
【０００２】
リラックスさせる雰囲気を作り出すために院内の病室において特殊な雰囲気が作られ得る。こうした雰囲気は部屋の特殊照明を作り出し、リラックスさせるビデオ若しくは画像又は例えば音声若しくは音楽を提供することができるアンビエントシステムによって作られ得る。リラックスさせる雰囲気は患者の幸福にとって重要であり、患者のための治癒過程に貢献し得る。
【０００３】
しかしながら、最適な雰囲気は患者の幸福を最適化するために作られ得るが、この雰囲気は医師が患者を往診する場合、清掃従業員が部屋を掃除しなければならないとき、若しくは家族が患者を見舞うときの状況では適していないかもしれない。従って、一部の状況において、特に患者以外の人が部屋に入る状況において雰囲気がふさわしくないことは問題になり得る。
【０００４】
従って、病室内の雰囲気を異なる状況に適応させる、例えば異なる活動若しくは事象に依存して雰囲気を適応させることができることが必要である。
【０００５】
ＣＮ２０１２６２７５８は無線自動識別によるオープン型ゲート制御システムを記載し、通過する人によって所有されるＩＤカードと、少なくとも一つの赤外センサと、通過するドアフレームと通過するドアの内部に各々配置される、無線自動識別を提供する少なくとも二つのリーダとを有する。無線自動識別によるオープン型ゲート制御システムは多層セキュリティ機構を提供するので、通過する人が無作為に他者からＩＤカードを借りて、規定に従ったＩＤカードを持たず、複数の人が後に続いて不法侵入者にドアをくぐらせるといった問題を効果的に防ぐことは、セキュリティ領域の管理レベルを上げ、個人の自由と通過セキュリティの両方を保証し、その結果自動無線識別によるオープン型ゲート制御システムはゲート制御、金融、物流、コミュニケーションなどといった多分野に広く応用され得る。
【０００６】
本発明の発明者は身元確認検出用の改良されたゲートセンサが有益であると認識し、その結果本発明を考案した。
【発明の概要】
【発明が解決しようとする課題】
【０００７】
身元確認検出用ゲートセンサの分野内での改善を実現することが有利であり得る。概して、本発明は好適には人が部屋に入る若しくは部屋から出ることに依存して部屋若しくは他の環境における雰囲気をよりよく適応させるためにアンビエントシステムと一緒に使用され得るゲートセンサを提供することを目指す。特に、従来技術の、一部の状況ではふさわしくない雰囲気を作り出し得るアンビエントシステムの上述の問題、若しくは他の問題を解決する方法を提供することが本発明の目的とみなされ得る。
【課題を解決するための手段】
【０００８】
これらの懸念の一つ以上によりよく対処するために、本発明の第１の態様において人のゲート認証のための識別センサが提示され、これは、
ゲートと関連する第１の場所における人の通過に応じて第１の通過信号を生成するための第１の通過検出器と、
ゲートと関連する第２の場所における人の通過に応じて第２の通過信号を生成するための第２の通過検出器とを有し、
識別センサは第１及び第２の通過信号の生成の順序を検出するように構成され、識別センサはさらに第１及び第２の通過信号の生成の順序に関する情報を含む出力信号を生成するように構成される。
【０００９】
この文章において、ゲートと関連する第１若しくは第２の場所とはゲート付近の場所などゲートにごく近接した場所を意味し得る。例えば、第１の場所はゲート内の一点における若しくはゲートの前の場所であり得、第２の場所はゲート内の別の点における若しくはゲートの後ろの場所であり得る。ゲートはドアであり得、第１及び第２の場所はドアの両側における場所であり得る。ゲートは廊下、通路若しくは他の建造物でもあり得、第１及び第２の場所は人の運動方向の検出を可能にするために適切に配置される。
【００１０】
第１及び第２の通過信号の生成の順序に関する情報を含む出力信号は雰囲気コントローラへの入力として使用され得る。それによって、雰囲気コントローラは人が部屋に入る若しくは部屋から出るかどうかに依存して雰囲気コントローラ雰囲気を適応させることができる。
【００１１】
識別センサは病院若しくは他の介護環境において雰囲気を制御するための雰囲気コントローラとの使用に適している。しかしながら、識別センサは雰囲気を制御するため若しくはセキュリティ制御などの他の目的のためにオフィス環境などの他の環境においても使用され得る。従って、病院環境において、出力信号は有利に、例えば医師が入室するときに医師にとって適切な作業環境を提供するために光強度が増加され、医師が退室するときに照明がリラックスさせる照明雰囲気に戻されるように、例えば照明設備の照明設定を変更するように雰囲気コントローラを制御することができる。
【００１２】
一実施形態において識別センサは関連するウェアラブルＩＤ送信機から無線送信されたＩＤ信号を受信するためのＩＤ受信機をさらに有し、ＩＤ信号はウェアラブルＩＤ送信機を装着する人の身元に関する情報を含む。ＩＤ信号に含まれる情報はルックアップテーブル若しくはデータベース入力を介したＩＤ送信機を装着する人の身元に関する任意のＩＤ番号であり得るか、又は情報はＩＤ送信機を装着する人と直接関連するＩＤ番号であり得る。
【００１３】
一実施形態において識別センサはさらにＩＤ受信機によって受信されるＩＤ信号に関する情報を含む出力信号を生成するように構成される。従って、識別センサは出力信号が運動の方向に関する情報とウェアラブルＩＤ送信機を装着する人の身元に関する情報の両方を含むように、第１及び第２の通過信号の生成の順序とＩＤ信号の両方に関する情報を含む出力信号を生成するように構成され得る。
【００１４】
従って、この実施形態によれば、雰囲気が人の身元と人の運動方向の両方に依存して適応され得るように、出力信号は有利に雰囲気コントローラを制御することができ得る。従って、異なる照明設定などの異なる雰囲気が、例えば入室する看護師及び入室する清掃従業員に対して設定され得る。
【００１５】
通過センサを通過する人がＩＤ送信機を持たない状況であっても、誰かが部屋に入る若しくは部屋から出ることを示す（ただし誰かはわからない）ことを含む出力信号が生成され、この情報は雰囲気コントローラにとって有用であり得る。例えば、院内の訪問者はＩＤ送信機を持っていないかもしれないので、ＩＤ情報を含まない出力信号はその人が訪問者であることを示し得る。
【００１６】
一実施形態において識別センサは無線送信されたＩＤ信号の信号強度を決定するように構成される。それによって、第１若しくは第２の識別センサを通過する人が複数のＩＤ送信機のうちどれを持っていたかを決定することが可能であり得る。
【００１７】
関連する実施形態において、識別センサは第１若しくは第２の通過信号に依存して信号強度を決定するように構成される。有利には、第１及び第２の通過信号の生成は、その信号強度が関係するとき、例えば人が第１の通過センサを通過したときのみ決定されるように利用され得る。
【００１８】
一実施形態において、識別センサは第１若しくは第２の通過信号に依存してＩＤ信号を受信するようにＩＤ受信機を駆動するように構成される。ＩＤ受信機は人が通過センサの一つを通過したときにＩＤ信号を受信するだけで十分であり得るので、ＩＤ受信機は通過信号が生成されるときに有利に駆動若しくは起動され得る。同様にＩＤ受信機は第１若しくは第２の通過信号に依存して停止され、例えば第１及び第２の通過信号が生成されたときに停止され得る。
【００１９】
一実施形態において識別センサは、
関連するウェアラブルＩＤ送信機へ光信号を送信するように構成される光送信機をさらに有し、ＩＤ送信機は光信号を受信するための光受信機で構成され、ＩＤ送信機はさらに光信号の受信に依存してＩＤ信号を送信するように構成される。
【００２０】
ＩＤ送信機はＩＤ送信機が光信号を検知するときにのみＩＤ信号を送信するので、光送信機付近のＩＤ送信機のみがＩＤ信号を送信するように駆動される。実際には一つのＩＤ送信機のみが光信号を検知し得るように、光送信機からの光はフォーカスされ得るので（例えば光送信機は狭い平行光ビームを発し得る）、通過センサの一つを通過する人が持っていなかったＩＤ送信機からのＩＤ信号の受信による誤出力信号の生成が回避され得る。
【００２１】
識別センサの関連する実施形態において、光送信機はさらにＩＤ情報を有する光信号を送信するように構成され、ＩＤ送信機はさらに受信したＩＤ情報とＩＤ送信機に保存されたＩＤ情報とを含むＩＤ信号を送信するように構成される。
【００２２】
関連する実施形態において、光送信機からの光信号はＩＤ情報を含み、ＩＤ送信機はさらに受信したＩＤ情報とＩＤ送信機に保存されたＩＤ情報とを含むＩＤ信号を送信するように構成される。光送信機は通過センサ付近にあるので、ＩＤ信号は人が入ろうと若しくは出ようとする部屋に関する場所ＩＤ情報、例えば部屋ＩＤを含むことになる。この場所関連ＩＤ情報は特定場所／部屋に対して設定可能／利用可能な雰囲気設定を選択するために雰囲気コントローラによって利用され得る。
【００２３】
一実施形態において識別センサは第１若しくは第２の通過信号に依存してウェアラブルＩＤ送信機へ光信号を送信するように光送信機を駆動するように構成される。通過信号が生成されるときにのみ光送信機を駆動若しくは起動することによって、送信機の消費電力削減及び寿命延長が達成され得る。
【００２４】
一実施形態において識別センサはＩＤ信号に関するデータをデータベースへ送信し、データベースへ送信されるデータに応じてデータベースからＩＤデータを受信するように構成され、識別センサはデータベースから受信されるＩＤデータに関する情報を含むように出力信号を生成するように構成される。有利に、外部データベース若しくは識別センサに含まれるデータベースがＩＤ送信機からのＩＤデータ及び／又は光送信機からのＩＤデータを識別センサ及び場合によっては雰囲気コントローラによって解釈可能な他のＩＤデータへ変換するために使用され得る。
【００２５】
本発明の第２の態様はルームコントローラに関し、当該コントローラは、
部屋の雰囲気を制御するための雰囲気コントローラと、
第１の態様にかかる識別センサとを有し、識別センサはさらに無線送信されたＩＤデータの受信に応じて雰囲気コントローラのための出力信号を生成するように構成される。
【００２６】
本発明の第３の態様は人を識別し、ゲートにおける人の運動方向を決定するための方法に関し、当該方法は、
ゲートの第１の場所における人の通過に応じて第１の通過信号を第１の通過検出器を用いて生成するステップと、
ゲートの第２の場所における人の通過に応じて第２の通過信号を第２の通過検出器を用いて生成するステップと、
第１及び第２の通過信号の生成の順序を検出するステップと、
第１及び第２の通過信号の生成の順序に関する情報を含む出力信号を生成するステップとを有する。
【００２７】
要約すると本発明は二つの通過センサとＩＤ受信機で構成される識別センサに関する。ＩＤ受信機は個人送信機から無線送信された無線周波数信号を受信するように構成される。無線周波数信号は例えばデータベースから追加ＩＤ情報を読み出すことによって、個人送信機を持つ人を識別するために使用され得るＩＤ情報を含むＩＤ信号である。二つの通過センサによって生成される通過信号はセンサに対するユーザの運動方向を決定するために比較される。ＩＤ情報と運動方向についての情報を含む出力信号が生成される。出力信号は例えば、入室する医師にとって作業環境を満足させるように、及び医師が退室するときに患者にとって適切な雰囲気を作り出すために光を調節するように、病室のアンビエントライトを制御するために使用され得る。
【００２８】
概して本発明の様々な態様は本発明の範囲内で可能ないかなる方法でも組み合わされ結合され得る。本発明のこれらの及び他の態様、特徴及び／又は利点は以降に記載の実施形態から明らかとなりそれらを参照して解明される。
【００２９】
本発明の実施形態がほんの一例として図面を参照して記載される。
【図面の簡単な説明】
【００３０】
【図１】第１のゲート識別センサ１００を概略的に図示する。
【図２】第２のゲート識別センサ２００を概略的に図示する。
【図３】第１及び第２の通過信号３０１，３０２、第１及び第２の通過センサ１０１，１０２を通過する人が持つ送信機１１１，２１１によって生成されるＩＤ信号３０３、並びに第１及び第２の通過センサ１０１，１０２を通過しない人が持つ送信機１１１，２１１によって生成されるＩＤ信号３０４を時間の関数として概略的に図示する。
【図４】本発明の一実施形態のプロセスステップ４０１‐４０４を図示する。
【発明を実施するための形態】
【００３１】
図１はゲートを通る人の運動方向及び身元確認を識別するための識別センサ１００を概略的に図示する。ゲートは部屋若しくは他の建造物に通じる通路、例えばドア通路であり得る。人の身元確認は固有の個人ＩＤ、例えば個人に関する番号若しくは身元確認カテゴリ、例えば院内の看護師の特定グループに属する人、であり得る。運動方向は二方向の一つ：部屋に入る若しくは部屋から出る、のいずれかであり得る。
【００３２】
識別センサ１００はゲートの第１の場所における人の通過に応じて第１の通過信号を生成する第１の通過検出器１０１と、ゲートの第２の場所における人の通過に応じて第２の通過信号を生成する第２の通過検出器１０２とを有する。通過センサは人の通過に応じた反射若しくは透過光における変化を測定することができる赤外光センサであり得る。例えば、第１の通過センサは部屋に通じるドアの一方の側に位置し、第２のセンサはドアの反対側に位置し得る。
【００３３】
識別センサ１００はさらにウェアラブルＩＤ送信機１１１から無線送信されたＩＤ信号を受信するための電子ＩＤ受信機１０３を有する。ウェアラブルＩＤ送信機は無線周波数信号として送信されるＩＤデータを保存する能動的ＲＦＩＤ送信機（タグともよばれる）であり得る。ＩＤ送信機はバッテリで駆動され得るか、若しくは外部電源、例えば外部無線周波数／電磁送信機（不図示）によってＩＤ送信機１０３の受信機へ送信される電磁波によっても駆動され得る。ＩＤ受信機１０３はＩＤ信号を受信するための受信機、例えばアンテナを有する。ウェアラブルＩＤ送信機１１１に保存されるＩＤデータはユーザの固有ＩＤ、送信機１１１の固有ＩＤ、若しくは病院の職員のグループを指定するＩＤなどの他のＩＤであり得る。
【００３４】
ＩＤデータを含むデジタル若しくはアナログ信号であり得るＩＤ信号は識別センサ１００のデータプロセッサ１１０によって受信される。識別センサ１００、例えばデータプロセッサ１１０はＩＤ信号若しくはＩＤ信号から導出されるＩＤデータ、すなわちＩＤ信号に関連するＩＤデータをデータベース１１２へ送信し得る。データベース１１２はユーザの個人ＩＤ若しくはユーザの職員カテゴリ（例えば看護師のカテゴリ）などの他のデータを見つけるために受信したＩＤデータを検索し、検索したＩＤデータを識別センサ１００へ送り返す。
【００３５】
識別センサ１００は第１及び第２の通過信号の生成の順序を検出するように構成され得る。例えば、第１の通過信号が第２の通過信号の前に生成される場合、これは人が部屋に入るか若しくは第１の通過センサから第２の通過センサの方へ向かう方向に動くと結論付けられ得る。
【００３６】
識別センサ１００はさらにＩＤ信号に関する情報と第１及び第２の通過信号の生成の順序とを含む出力信号を生成するように構成され得る。
【００３７】
出力信号は雰囲気コントローラ１９８へ識別センサ１００の出力１０４を介して供給され得る。雰囲気コントローラ１９８はアンビエントライトシステムなどの照明設備によって放出される光を制御することが可能であり得る。例えば光の色を変えることによる病棟などの部屋の雰囲気の制御は、患者にリラックスさせる効果をもたらし、それによって治癒過程を改善し場合によっては回復期間を短縮し得る。また、部屋の雰囲気の制御は職員にとって作業環境を改善するために使用され得る。
【００３８】
雰囲気コントローラ１９８はアンビエントライト設定を制御するためだけに限定されず、代替的に／付加的に音声若しくは音楽を生成するための音響システム、画像若しくはビデオを提示するためのビデオシステム、ユーザにとって様々な種類の情報を生成するための情報システム、周囲環境に影響し得るブラインド及び装置を制御するためのシステムを制御するために構成され得る。
【００３９】
識別センサ１００からの出力信号はＩＤ信号とＩＤ送信機を持つ人の運動の方向の両方に関する情報を含むので、雰囲気コントローラ１９８は誰が入室及び退室しているかに依存して部屋の雰囲気を制御するように指示され得る。
【００４０】
例えば、ＩＤ送信機のＩＤ信号が、人が看護師であると定義し、通過信号の順序が、看護師が病室に入ると定義する場合、アンビエントライトは看護師が例えば血液サンプルを採取することができるように、例えば患者の場所において局所的に、より高い光強度に調節され得る。看護師（ＩＤ信号が看護師を定義する）が退室する（通過信号の順序によって定義される）ことを示す情報を含む出力信号において示される通り看護師が退室するとき、アンビエントライト設定は前の設定に戻され得る。
【００４１】
一般に異なる人若しくは職員のグループはアンビエント設定に異なる嗜好を持ち得る。例えば、医師若しくは医師のグループは入室するとき明るい白色光を好み得るが、一方看護師若しくは看護師のグループはより邪魔にならない光設定を好み得る。
【００４２】
図２は第１若しくは第２の通過信号の生成に応じて関連するウェアラブルＩＤ送信機２１１へ光信号を送信するように構成される光送信機２０４、例えば赤外光送信機を有する代替的な識別センサ２００を概略的に図示する。光送信機２０４は第１の通過検出器１０１付近、第２の通過検出器１０２付近、若しくは第１及び第２の通過検出器の間に位置し得る。
【００４３】
通過信号の生成に応じて光送信機２０４が駆動される、すなわち起動されるので、及びＩＤ送信機２１１はＩＤ送信機が光送信機２０４から光を受信するときにのみＩＤ信号を送信するように構成されるので、ＩＤ受信機２０３はＩＤ送信機が光信号によって駆動されるときにのみＩＤ信号を受信する。それによって、ＩＤ受信機２０３が第１及び第２の通過信号の生成の間の間隔中に複数のＩＤ信号を受信する確率は、ウェアラブルＩＤ送信機が連続的にＩＤ信号を送信する状況と比較して低下する。その結果、疑似若しくは誤出力信号の生成の確率は低下する。
【００４４】
光送信機２０４からの光信号は光送信機の場所に関するＩＤ情報を含み、ウェアラブルＩＤ送信機２１１は光信号中のＩＤ情報を受信するための光受信機と、光信号中のＩＤ情報及びウェアラブルＩＤ送信機２１１自体のＩＤの両方を無線信号としてＩＤ受信機２０３へ送信するための送信機、例えば無線周波数送信機とで構成され得る。ＩＤ情報は部屋自体、廊下における場所若しくは他の物理的な場所に関連し得る。ＩＤ情報は単一の物理的な場所と一意的に関連する任意の数であり得る。場合によっては、ＩＤ情報は識別センサ２００によってデータベース１１２へ送信され得、これは物理的場所のＩＤデータを識別センサ２００へ送り返す。
【００４５】
付加的に電子ＩＤ受信機２０３をウェアラブルＩＤ送信機から無線送信されたＩＤ信号を受信することができるように構成することによって、ＩＤ信号は付加的に光送信機２０４の場所に関するＩＤ情報を含み、識別センサ２００は光送信機２０４から光を受信しているウェアラブルＩＤ送信機２１１からのＩＤ信号のみが出力信号の生成を生じ得るように構成され得る。それによって、第１若しくは第２の通過センサ２０１，２０２を通過した人が持つＩＤ送信機２１１のみが出力信号を生成し得るので、誤出力信号を生成する可能性が実質的に排除される。
【００４６】
ＩＤ受信機１０３が別のＩＤ送信機１１１からＩＤ信号を受信する（例えばこうしたＩＤ送信機が連続的にＩＤ信号を送信し得るので）ということが起こり得る。同様に、識別センサ２００の場合、ＩＤ受信機２０３が別の識別センサからの光信号によって駆動される別のＩＤ送信機２１１からＩＤ信号を受信するということが起こり得る。識別センサ１００の場合、及び光送信機２０４からの光信号がＩＤ情報を含まない識別センサ２００の場合、無線送信されたＩＤ信号の信号強度を決定することができる信号解析器１２１で識別センサ１００，２００を構成することによって誤出力信号の生成は回避され得る。所定閾値を超える強度を持つＩＤ信号のみを許容するように識別センサ１００，２００を構成することによって、又は多重ＩＤ信号が受信される場合は最高強度を持つＩＤ信号のみを許容することによって、疑似若しくは誤出力信号の生成が回避若しくは軽減され得る。
【００４７】
一実施形態において識別センサ２００と関連するＩＤ送信機２１１は光送信機２０４によって送信される光信号の強度（例えばルクスを単位として）を測定するように構成され得る。測定された光強度はＩＤ送信機によって送信されるＩＤ信号に追加され得る。この実施形態において、識別センサ２００若しくはＩＤ受信機２０３は送信されたＩＤ信号における光強度データを受信し、複数の受信された強度のどれが最大であるか若しくは所定閾値を超えるかを決定するように構成され得る。それによって、複数のＩＤ送信機２１１が通過後に光信号を受信する場合、最高強度若しくは閾値を超える強度を持つＩＤ信号のみが、入室若しくは退室する人が持つＩＤ送信機２１１を指摘することになる。
【００４８】
識別センサ１００，２００は例えば雰囲気コントローラ１９８によって制御されることができる照明設備を持つ各部屋若しくは環境毎に導入され得る。代替的に、識別センサ１００，２００の部品は、複数の部屋若しくは環境の雰囲気の制御のための出力信号を生成することができる中心部品であり得る。例えば、第１及び第２の通過信号の生成の順序の決定、出力信号の生成、受信信号の信号強度の決定、ＩＤ信号を受信するためのＩＤ受信機１０３，２０３の駆動、並びに受信したＩＤ信号の他の処理のためのプロセッサなど、識別センサ１００，２００の手段は、複数のＩＤ受信機１０３，２０３からのＩＤ信号を処理することができる中心に位置する装置に含まれ得る。電子信号処理部品などのＩＤ受信機１０３，２０３の部品は装置内の中心に位置してもよく、一方ＩＤ受信機１０３，２０３の受信アンテナは個々の部屋に対して導入され得る。同様に、雰囲気コントローラ１９８は個々の部屋に対して導入され得るか、若しくは複数のアンビエントシステム、例えばアンビエントライトシステムを制御することができる中心に位置する装置であり得る。
【００４９】
図３は、第１及び第２の通過信号３０１，３０２、第１及び第２の通過センサ１０１，１０２を通過する人が持つＩＤ送信機１１１，２１１からの第１のＩＤ信号３０３（及びそれによって第１及び第２の通過信号３０１，３０２を生成する）、並びに通過センサ１０１，１０２を通過しない人、例えば病室内の患者が持つＩＤ送信機からの第２のＩＤ信号３０４を、時間の関数として示す。無線送信されたＩＤ信号３０３，３０４の信号強度を決定することによって、例えば第１及び第２の通過信号３０１，３０２の間の時間など、第１若しくは第２の通過信号３０１，３０２の後に続く期間の時間平均信号強度を決定することによって、決定された強度のどれが最大であるかを決定することができる。最大信号強度、例えば最大平均信号強度を生成したＩＤ送信機１１１，２１１は、第１及び／又は第２の通過センサ１０１，１０２を通過した人が持つＩＤ送信機１１１，２１１として決定され得る。従って、第１の通過信号３０１の生成の後に続く期間の最大平均信号強度を持つとみなされるＩＤ信号３０３は出力信号を生成するために使用されるはずであり、すなわち出力信号はＩＤ信号３０３（最大信号強度を持つ）と第１及び第２の通過信号３０１，３０２の生成の順序に関する情報を含むように生成される。
【００５０】
識別センサは第１若しくは第２の通過信号３０１，３０２の生成に応じて電子ＩＤ受信機１０３，２０３を駆動する、例えば電力供給するように構成され得る。従って、図３における第１のＩＤ信号３０１の生成はＩＤ受信機１０３，２０３を駆動し得る。従って、ＩＤ受信機１０３，２０３が不要な電力を消費することが回避され得る。識別センサ２００の場合、光送信機２０４もまた、不要な電力消費を回避するために、第１若しくは第２の通過信号３０１，３０２の生成に応じて駆動、例えば電力供給され得る。
【００５１】
本発明の一態様は、識別センサ１００，２００に加えて識別センサ１００，２００からの出力信号を介して制御可能な雰囲気コントローラ１９８も有するルームコントローラ１９９にも関する。
【００５２】
図４は本発明の方法の一実施形態のプロセスステップ４０１‐４０４を図示し、方法は、
ゲートの第１の場所における人の通過に応じて第１の通過信号３０１を第１の通過検出器１０１を用いて生成するためのステップ４０１と、
ゲートの第２の場所における人の通過に応じて第２の通過信号３０２を第２の通過検出器１０２を用いて生成するためのステップ４０２と、
第１及び第２の通過信号３０１，３０２の生成の順序を検出するためのステップ４０３と、
第１及び第２の通過信号の生成の順序に関する情報を含む出力信号を生成するためのステップ４０４とを有する。
【００５３】
付加的なステップは、ＩＤ受信機１０３，２０３を用いて、関連するウェアラブルＩＤ送信機１１１，２１１から無線送信されたＩＤ信号３０３，３０４を受信するためのステップを有し得る。さらに、出力信号はＩＤ信号３０３，３０４と第１及び第２の通過信号の生成の順序の両方に関する情報を含むように生成され得る。
【００５４】
本発明は図面と前述の説明において詳細に図示され記載されているが、かかる図示と記載は説明若しくは例示であって限定ではないとみなされるものであり、本発明は開示の実施形態に限定されない。開示の実施形態への他の変更は、図面、開示、及び添付の請求項の考察から、請求される発明を実施する上で当業者によって理解されもたらされることができる。請求項において、"有する"という語は他の要素若しくはステップを除外せず、不定冠詞"ａ"若しくは"ａｎ"は複数を除外しない。単一のプロセッサ若しくは他のユニットは請求項に列挙される複数の項目の機能を満たし得る。特定の手段が相互に異なる従属請求項に列挙されるという単なる事実は、これら手段の組み合わせが有利に使用されることができないことを示すものではない。請求項における任意の参照符号は範囲を限定するものと解釈されてはならない。
【図１】
2015522857.tif 000003
【図２】
2015522857.tif 000004
【図３】
2015522857.tif 000005
【図４】
2015522857.tif 000006
【国際調査報告】
2015522857.tif 000007
2015522857.tif 000008
2015522857.tif 000009